(57)【要約】【課題】広範囲に空気を攪拌できるファンを提供する。【解決手段】  ファン装置１は、複数枚の第１の羽根１１〜１４、第２の羽根４１、４２からなるファン１０と、ケース２、モータ３を備える。第１の羽根１１〜１４は、回転可能に支持された軸１１１から各々半径方向に伸びている。また、第２の羽根４１、４２は、前記第１の羽根１２、１４の風下側の面上の円周方向の線１２１、１４１を付け根として、軸１０１の風下方向に対し斜めに突き出た前記第１の羽根の軸１１１に関して略対角となる位置に、互いに平行に設けられている。この第２の羽根４１、４２は、ねじまたは圧入式で固定して、着脱可能にする。ケース２は、ファン１０の周囲を覆うフードと、モータ３を支持する支持部を有する。モータ３は、ファン１０の軸１１１に直結され、回転可能にファン１０を支持すると共にファン１０を回転させる。【選択図】図１
2008106661.tif 000002
【特許請求の範囲】
【請求項１】
回転可能に支持された軸から各々半径方向に伸びた複数枚の第１の羽根を備え、前記軸の回転時に軸方向に送風するファンにおいて、
前記第１の羽根の風下側の面上の円周方向の線上に１辺が固定され、前記軸の風下方向に対し斜めに形成された一対の第２の羽根を、前記第１の羽根の前記軸に関して略対角となる位置に互いに平行に、前記軸を中心として互いに取付角度をずらして、複数対、着脱可能に設けたファン。
【請求項２】
回転可能に支持された軸から各々半径方向に伸びた複数枚の第１の羽根を備え、前記軸の回転時に軸方向に送風するファンにおいて、
前記第１の羽根の風下側の面上の円周方向の線上に１辺が固定され、前記軸の風下方向に対し斜めに形成された一対の第２の羽根を、前記第１の羽根の前記軸に関して略対角となる位置に互いに平行に設けたファン。
【請求項３】
前記第２の羽根を、前記軸を中心として互いに取付角度をずらして複数対設けた請求項２に記載のファン。
【請求項４】
前記第２の羽根を前記第１の羽根に対し着脱可能にした請求項２〜３のいずれかに記載のファン。
【発明の詳細な説明】
【技術分野】
【０００１】
本発明は、回転軸方向に送風するファンの構造に関する。
【背景技術】
【０００２】
従来よりＤＶＤレコーダの内部には、ハードディスクなど熱を発するものが使用されており、この内部を冷却するためにファンが設けられている。特許文献１には、３次元曲面羽根を構成するため複数の羽根を組み合わせてディフューザ羽根を構成したファンが開示されている。
【特許文献２】特開２００１−３１７４８７公報
【発明の開示】
【発明が解決しようとする課題】
【０００３】
しかしながら、ＤＶＤレコーダ等の密閉している領域の内部を冷却するためには、広範囲に空気を攪拌する方が望ましい。従来の平面型のファンでは主に正面への効果が高いが、広範囲に空気を攪拌することが困難であった。
【０００４】
そこで、本発明は、広範囲に空気を攪拌できるファンを提供することを目的とする。
【課題を解決するための手段】
【０００５】
本発明は、上述の課題を解決するための手段を以下のように構成している。
【０００６】
（１）  回転可能に支持された軸から各々半径方向に伸びた複数枚の第１の羽根を備え、前記軸の回転時に軸方向に送風するファンにおいて、
前記第１の羽根の風下側の面上の円周方向の線上に１辺が固定され、前記軸の風下方向に対し斜めに形成された一対の第２の羽根を、前記第１の羽根の前記軸に関して略対角となる位置に互いに平行に設けた。
【０００７】
この構成によれば、第１の羽根により捕らえられた空気は、単に軸方向に推進されるだけでなく、第２の羽根により、この羽根がむいている斜め方向に推進されることになる。したがって、一対の第２の羽根は、風の向きを制御する方向羽根の役割を果たしている。これらの第２の羽根が回転することにより、送風方向である軸方向に対して外側に、空気を広く攪拌させることができる。
【０００８】
なお、本発明の「回転可能に軸支された軸」は、中空で中に支持軸が通っていても良く、また、両端が軸支されているものでも良い。第１の羽根を固定する軸が回転可能に軸支されていればよい。
【０００９】
（２）  前記第２の羽根を、前記軸を中心として互いに取付角度をずらして複数対設けた。
【００１０】
この構成では、前記第２の羽根を複数対設けているので、＋Ｚ軸方向に対して外側により一層広く攪拌できる。
【００１１】
（３）  前記第２の羽根を前記第１の羽根に対し着脱可能にした。
【００１２】
。第１の羽根を基本構成とするファンのオプションとして構成することにより、基本的な第１の羽根の部分を共通にしながら、使用する対象の電子機器の状態に応じて幅広く対応できる。例えば、局部的に送風する場合には、第２の羽根を取り外し、電子機器全体に送風する場合には、第２の羽根を取り付ける。第２の羽根を着脱可能に取り付ける方法は、ねじ止めでも良いし、圧入式でもよい。
【発明の効果】
【００１３】
本発明のファンによれば、広範囲に空気を攪拌できる。
【発明を実施するための最良の形態】
【００１４】
図１を用いて、本実施形態のファン装置１について説明する。図１（Ａ）は、ファン装置１の全体図、図１（Ｂ）は、ファン装置１に含まれる羽根１０の側面図である。図１（Ｃ）は、羽根１０の鳥瞰図であり、図１（Ａ）の裏側から見た図を示している。図１（Ａ）に示すように、ファン装置１は、ファン１０と、ケース２と、モータ３とを備えている。ケース２は、ファン１０の周囲を取り囲むフード２１と、モータ３を支持する支持部２２を有している。またケース２の周囲の４つの角には、ねじ止めして電子機器の側面に固定するための取付穴２３を有している。モータ３は、ファン１０を回転させる。モータ３は、ファン１０の軸１０１に直結しており、この軸１０１は回転可能に軸支されている。
【００１５】
図１（Ｂ）、（Ｃ）に示すように、ファン１０は、軸１０１と、第１の羽根１１〜１４と、第２の羽根４１〜４４を有している。第１の羽根１１〜１４は、軸１０１の各々別々の方向に半径方向に伸びた複数枚の羽根（図１では４枚の例を示す。）である。第１の羽根１１〜１４は、軸に垂直な面に対しそれぞれ斜めに設けられており、それぞれ円周方向に沿って同一の方向に傾斜している。これにより、第１の羽根１１〜１４が回転すると、空気を押す力が軸１０１の方向に働き、送風できる。図１（Ａ）の例では、反時計回りに回転すると、モータ側と逆側に送風する。
【００１６】
なお、図１に示すようにこの軸の方向であって風下方向を＋Ｚ方向とし、これに垂直な方向を±Ｙ、±Ｚ方向とする。
【００１７】
第２の羽根４１、４２は、第１の羽根１２、１４の風下側の面上の円周方向の線１２１、１４１上に１辺が固定され、送風方向（軸１０１に沿った方向であり、＋Ｚ方向）に対し斜めに形成された羽根である。この第１の羽根１２、１４は、軸１０１に関して略対角となる位置に設けられている。また、第２の羽根４１は、軸１０１に対し斜め外側を向いており、第２の羽根４２は、軸１０１に対し斜め内側を向いており、第２の羽根４１、４２は、互いに略平行に設けられている。
【００１８】
次に、図２、図３に示すファンが回転する様子を表す図を用いて、ファン１０が回転したときの風の方向について説明する。図２（Ａ）、図２（Ｂ）、図３（Ａ）、図３（Ｂ）は、それぞれ図１（Ｂ）、図１（Ｃ）に対応する正投影図を２面から示しており、これらの図のうち上の図は＋Ｙ側から見た図であり、下の図は、図１（Ａ）で示したファン１０を軸方向正面から見た図を表している。また、図中◎印は、図面の紙面上方に向かっている方向を指し、×印は、図面の紙面に対し下方に向かっている方向を示す。
【００１９】
図２（Ａ）は、図１（Ｂ）、図１（Ｃ）と同じく、軸１０１の方向（＋Ｚ方向）に対し、＋Ｙ方向斜めに第２の羽根４１、４２が傾斜した回転位置を表している。第１の羽根１２、１４により捕らえられた空気は、単に軸１０１の方向（＋Ｚ方向）に推進されるだけでなく、第２の羽根４１、４２により、＋Ｘ方向に推進されることになる。この回転位置では、軸方向に対し＋Ｘ方向斜めに送風される。
【００２０】
図２（Ｂ）は、図２（Ａ）の回転位置から９０度回転した図を表している。この位置では、軸１０１の方向（＋Ｚ方向）に対し＋Ｙ方向斜めに、第２の羽根４１、４２が傾斜している。第１の羽根１２、１４により捕らえられた空気は、単に軸１０１の方向（＋Ｚ方向）に推進されるだけでなく、第２の羽根４１、４２により、＋Ｙ方向に推進されることになる。この回転位置では、軸１０１の方向（＋Ｚ方向）に対し＋Ｙ方向斜めに送風される。なお、図中では、送風方向を、紙面上方に送風されるとして◎で描いているが、正確には＋Ｚ方向と＋Ｙ方向の間の斜め方向に送風される。
【００２１】
図３（Ａ）は、図２（Ｂ）の回転位置から９０度回転した図を表している。この位置では、軸１０１の方向（＋Ｚ方向）に対し−Ｘ方向斜めに、第２の羽根４１、４２が傾斜している。第１の羽根１２、１４により捕らえられた空気は、単に軸１０１の方向（＋Ｚ方向）に推進されるだけでなく、第２の羽根４１、４２により、−Ｘ方向に推進されることになる。この回転位置では、軸１０１の方向（＋Ｚ方向）に対し−Ｘ方向斜めに送風される。
【００２２】
図３（Ｂ）は、図３（Ａ）の回転位置から９０度回転した図を表している。この位置では、軸方向の軸１０１の方向（＋Ｚ方向）に対し−Ｙ方向斜めに、第２の羽根４１、４２が傾斜している。第１の羽根１２、１４により捕らえられた空気は、単に軸１０１の方向（＋Ｚ方向）に推進されるだけでなく、第２の羽根４１、４２により、−Ｙ方向に推進されることになる。この回転位置では、軸１０１の方向（＋Ｚ方向）に対し−Ｙ方向斜めに送風される。なお、図中では、送風方向を、紙面下方に送風されるとして×で描いているが、正確には＋Ｚ方向と−Ｙ方向の間の斜め方向に送風される。
【００２３】
以上のとおり、第２の羽根４１、４２は、風の向きを制御する方向羽根の役割を果たしており、これらが回転することにより、送風方向である＋Ｚ軸方向に対して外側に、空気が広く攪拌される。
【００２４】
以上の実施形態のほかに以下の実施例も可能である。
また、第２の羽根４１、４２は、第１の羽根１１〜１４に対して着脱可能にしてもよい。第１の羽根１１〜１４を有するファンのオプションとして構成することにより、基本的な第１の羽根１１〜１４の部分を共通にしながら、使用する対称の電子機器の状態に応じて幅広く対応できる。例えば、局部的に送風する場合には、第２の羽根４１〜４２を取り外し、電子機器全体に送風する場合には、第２の羽根４１〜４２を取り付ける。第２の羽根４１〜４２を着脱可能に取り付ける方法は、ねじ止めでも良いし、圧入式でもよい。さらに、第１の羽根１１〜１４の数は４枚に限らず、第１の羽根１１〜１４のうち、軸１０１に対し略対称となる位置に、第２の羽根４１、４２を設ければよい。
【００２５】
また、軸１０１を中心として第２の羽根４１、４２の対を、互いに取付角度をずらして複数対設けてもよい。例えば、第１の羽根１１、１３の上に、第２の羽根４１、４２と同様の羽根を設けることができる。この羽根を設ける場合には、一方を軸１０１に対し斜め外側を向いたものとし、他方を軸１０１に対し斜め内側を向いたものとし、これらの羽根を互いに略平行に設ける。このようにすれば、＋Ｚ軸方向に対して外側により一層広く攪拌される。
【図面の簡単な説明】
【００２６】
【図１】本実施形態のファンの構成図
【図２】本実施形態のファンが回転する様子
【図３】本実施形態のファンが回転する様子
【符号の説明】
【００２７】
１−ファン装置、  １０−ファン、  １１〜１４−第１の羽根、  １５−軸
２−ケース、  ２３−取付穴、  ３−モータ、  ４１〜４２−第２の羽根
１０１−軸
【図１】
2008106661.tif 000003
【図２】
2008106661.tif 000004
【図３】
2008106661.tif 000005